(57)【要約】【課題】床面の沈み込みを防いで良好な歩行感を有するとともに、防音性、特に衝撃音に対してすぐれた防音性を発揮する防音床構造を提供する。【解決手段】床基材２と床躯体３との間に弾性体１を介装してなる防音床構造Ａであって、該弾性体１の床躯体３側の面に相互に独立する突出部を近接して複数個形成し、該床基材２に下向きに荷重がかかったときは、最初は上記突出部が隣接する突出部と接触することなく横方向に膨出して弾性膨出変形し、更に大きな荷重が床基材２に加わったとき、上記隣接する膨出部１１１が互いに接触し弾性圧縮変形するようにされた防音床構造Ａ。【選択図】図３
2009281036.tif 000002
【特許請求の範囲】
【請求項１】
床基材と床躯体との間に弾性体を介装してなる防音床構造であって、該弾性体の床躯体側の面に相互に独立する突出部を近接して複数個形成し、該床基材に下向きに荷重がかかったときは、最初は上記突出部が隣接する突出部と接触することなく横方向に膨出して弾性膨出変形し、更に大きな荷重が床基材に加わったとき、上記隣接する膨出部が互いに接触し弾性圧縮変形するようにされた防音床構造。
【請求項２】
上記弾性体の床躯体側の面に相互に独立して形成される突出部が柱状体である請求項１に記載の防音床構造。
【請求項３】
上記弾性体の床躯体側の面に相互に独立して形成される突出部が突条体である請求項１に記載の防音床構造。
【請求項４】
上記弾性体の床躯体側の面に相互に独立して形成される突出部が硬度の異なる材料を複合してなる請求項１に記載の防音床構造。
【発明の詳細な説明】
【技術分野】
【０００１】
本願発明は、床構造に関し、戸建住宅や集合住宅、ホール、会館等の建物の床に施工される防音構造に関するものである。
【背景技術】
【０００２】
近年、生活の洋風化が進むとともに、リビングルームに床材を敷いてフローリングを施すことが一般化している。通常、フローリング用の床材としては表層側から順に、表面化粧材、基材および緩衝材からなるものが用いられ、緩衝材としては、発泡ポリウレタン等の発泡樹脂、不織布やＳＢＲ、ＮＢＲまたは天然ゴムなどから構成された均質なクッション性のあるシートが用いられることが多い。上記均質シートは歩行感をよくするため、クッション性を保つための配慮はされているが、防音性という観点からは、音が伝わり易く十分なものとはいえない。
【０００３】
一方、近年、マンション等集合住宅においては、一部を除いてほとんどの部屋が上記のように構成された床材でフローリングされているため、生活上発生する騒音を巡る問題が増えつつある。上記した生活騒音問題の大部分は階上の住民がたてる足音、椅子を引きずって移動するときの摩擦音、物を落とした時の衝撃音、こどもが飛び跳ねる音等が原因となっており、深刻なトラブルとなるケースも増えている。
【０００４】
そこで、床材に種々の防音性能を付与した防音床材が提案されている。例えば、特開平７−１６６６８３号公報には、複数枚のピース板をクッション材上に並べて一体化した防音床材において、クッション材の下面に凸部を碁盤目状に並べて突設して下面を凹凸形状にして成り、ここで各凸部をピラミッド型にして頂部を尖らせて成る防音床材が提案されている。
【０００５】
そして、上記防音床材は、クッション材の下面に凸部を碁盤目状に並べて突設して下面を凹凸形状にしてあるので、防音床材を床下地に敷いたときクッション材の凸部だけが部分的に接触し、床下地に音が伝わりにくくして防音性能を向上できるとの効果が記載されている。さらに、各凸部をピラミッド型にして頂部を尖らせているので、一層床下地への接触が少なくなり、床下地に音が伝わりにくくなるため、防音性能を向上できるとの効果も記載されている。
【０００６】
また、特開平１１−２４１４９０号公報には、緩衝材を含む複数の材料層を表裏方向に積層することによって形成された防音床材であって、前記緩衝材が発泡樹脂の多数の細片と、この発泡樹脂と密度が異なる他の材料の多数の細片とを混合し、圧縮固化した材料で構成され、前記他の材料が、前記発泡樹脂よりも高い密度を有していることを特徴とする防音床材が開示されている。
【０００７】
そして、この防音床材では、緩衝材の中に低密度の発泡樹脂の細片と高密度の発泡樹脂の細片が多数混在して緩衝材の密度が不均一になるので、化粧材および基材を介して緩衝材に伝搬した音のエネルギーは、緩衝材を通る際の密度の変化によって大きく減衰される。したがって、十分な防音効果を得ることができるとともに、低密度および高密度の発泡樹脂が混在していることにより緩衝材全体の密度がそれらの平均的な値となるので、柔らかすぎない良好な歩行感を得ることができる、とその効果が記載されている。
【特許文献１】特開平７−１６６６８３号公報
【特許文献２】特開平１１−２４１４９０号公報
【発明の開示】
【発明が解決しようとする課題】
【０００８】
しかしながら、上記特許文献１に記載の技術は、基材の上に表面材を積層して形成されたピース板の裏面側に凹溝が設けられているため、上記基材として通常用いられる合板の裏面に凹溝を形成する工程が必要であり、コスト的に有利に該防音床材を得ることができないという問題がある。
【０００９】
また、上記特許文献２に記載の防音床材は、発泡樹脂の多数の細片と、この発泡樹脂と密度が異なる他の材料の多数の細片とを混合してなる緩衝材を含む複数の材料層を表裏方向に積層することによって形成されているため、この発泡樹脂と密度が異なる他の材料の多数の細片との混合比の調節、ついで、積層と複雑な工程を経なければならないという問題がある。
【００１０】
本願発明は、上記背景技術に鑑みてなしたものであり、その目的は、過度なクッション性により床面の沈み込みを防ぎ、良好な歩行感を有するとともに、防音性、特に衝撃音に対して優れた防音性を発揮する防音床構造を提供することである。
【課題を解決するための手段】
【００１１】
上記課題を解決するために、本願請求項１記載の発明に係る防音床構造は、床基材と床躯体との間に弾性体を介装してなる防音床構造であって、該弾性体の床躯体側の面に相互に独立する突出部を近接して複数個形成し、該床基材に下向きに荷重がかかったときは、最初は上記突出部が隣接する突出部と接触することなく横方向に膨出して弾性膨出変形し、更に大きな荷重が床基材に加わったとき、上記隣接する膨出部が互いに接触し弾性圧縮変形するようにされたことを特徴としている。
【００１２】
上記床基材としては、化粧合板、ＭＤＦ（中密度繊維板）、ＷＰＢ（ウッドプラスチックボード）、集積材等、比較的高い剛性を有する材料が用いられる。また、弾性体としては、例えば、天然ゴム、スチレン−ブタジエンゴム、クロルスルフォン化ポリエチレンゴム、ポリウレタンゴム、ブチルゴム、ポリイソプロピレンゴム等の合成ゴム、ポリ塩化ビニル樹脂、ポリウレタン樹脂、エチレン−酢酸ビニル共重合体、低密度ポリエチレン等があげられ、１０−４０倍程度に発泡させて発泡体として用いることもできる。
【００１３】
また、上記弾性体は床躯体に接着等の固着手段で固着されてもよく、また、単に載置するのみで接着等の手段により固着しなくてもよい。いずれを選ぶかは施工現場での仕様、その他の施工条件によって適宜選択される。
【００１４】
本願請求項２記載の発明に係る防音床構造は、上記請求項１記載の発明において、上記弾性体の床躯体側の面に相互に独立して形成される突出部が柱状体であることを特徴としている。
【００１５】
本願請求項３記載の発明に係る防音床構造は、上記請求項１記載の発明において、上記弾性体の床躯体側の面に相互に独立して形成される突出部が突条体であることを特徴としている。
【００１６】
本願請求項４記載の発明に係る防音床構造は、上記請求項１記載の発明において、上記弾性体の床躯体側の面に相互に独立して形成される突出部が硬度の異なる材料を複合してなることを特徴としている。
【発明の効果】
【００１７】
本願請求項１記載の発明に係る防音床構造においては、弾性体の床躯体側の面に相互に独立する突出部を近接して複数個形成し、該床基材に下向きに荷重がかかったときは、最初は上記突出部が横方向に膨出して弾性膨出変形するため、軽い衝撃により音が発生する場合は、上記弾性体自身と、突出部と突出部の間の隙間とで音を減衰させて防音するとともに、クッション性を保つことができる。
【００１８】
更に大きな荷重が床基材に加わったときは、隣接する膨出部が互いに接触し、全体として弾性圧縮変形するため、深く沈み込むことなく歩行感を良好に保つことができ、また、階下への音の伝播を防いで優れた防音機能を発揮することができる。
【００１９】
本願請求項２記載の発明に係る防音床構造においては、特に、上記弾性体の床躯体側の面に相互に独立して形成される突出部を柱状体とすることにより、弾性体の床躯体側に円柱状または角柱状の突出部を設けるように金型を製作し、一体的に成形することが可能となり、上記防音床構造をコスト的に有利に作製することができる。
【００２０】
本願請求項３記載の発明に係る防音床構造においては、特に、上記弾性体の床躯体側の面に相互に独立して形成される突出部を突条体とすることにより、弾性体の床躯体側に凹溝が設けられるように金型を製作して一体的に成形することが可能となり、比較的簡単な金型を用いるため、上記防音床構造をコスト的に有利に作製することができる。
【００２１】
本願請求項４記載の発明に係る防音床構造においては、特に、上記弾性体の床躯体側の面に相互に独立して形成される突出部が硬度の異なる材料を複合してなるため、上記した横方向への弾性膨出の程度を調整することが可能となり、求められる防音性とクッション性に応じて防音床構造を適宜設計することが可能となる。
【発明を実施するための最良の形態】
【００２２】
以下、本願発明にかかる防音床構造の実施形態について、図面を参照して詳細に説明する。図１は上記防音床構造Ａの構成を示す縦断面図である。図１に示すように、上記防音床構造Ａは、突き板等で表面化粧された化粧合板からなる床基材２とコンクリートスラブからなる床躯体３との間に弾性体１を介装してなり、上記弾性体１の床躯体３側の面に相互に独立する複数の突出部が近接して形成されている。
【００２３】
本実施形態においては、弾性体１として合成ゴムが用いられ、複数の突出部は上記弾性体１の床躯体３側の面に柱状体１１が設けられるとともに、柱状体１１の下面は床躯体３に当接して固着されている。また、柱状体１１と柱状体１１との間は隙間Ｓとされ、例えば、階上での生活音、例えば、ＴＶの音声、こどもの泣き声等は弾性体１で遮音され、また、上記隙間Ｓを通る間に減衰して階下に伝播しないように防音されている。
【００２４】
図２は上記床基材２に下向きの荷重がかかったときの防音床構造Ａの内部構成を示す縦断面図である。大人が歩いたり、こどもが走り回ったりするときや、食器を落としたとき等、軽い衝撃により音が発生する場合は、図２に示すように、上記柱状体１１は横方向に弾性膨出変形して膨出部１１１を形成し、横方向に膨出する。そして弾性体１と隙間Ｓとは足音が階下に伝播しないように防音するとともに、衝撃力を減殺してクッション性よく衝撃を吸収する。このようにして、例えば、大人が歩いたとき、合成ゴムの有するクッション性により良好な歩行感を得ることができる。
【００２５】
図３は、上記床基材２に更に大きな下向きの荷重がかかったときの防音床構造Ａの内部構成を示す縦断面図である。例えば、家具を移動したり、重量物を配置したとき、あるいは体重の重い大人が歩いたとき等には、柱状体１１は、最初は上記したように横方向に弾性膨出変形して荷重を受ける。そして、更に荷重が加わり、横方向に弾性膨出する余地がなくなると上記隣接する膨出部１１１が互いに接触し、ついには柱状体１１が全体として弾性的に圧縮される。したがって、過度な沈み込みがなく、合成ゴムが弾性圧縮変形することにより、ふわふわした感じのない良好な歩行感を得ることができる。
【００２６】
図４は、上記柱状体１１に合成ゴムよりも硬く、かつ可撓性のある材料、例えばポリプロピレンからなるカバー材４を被着した状態を示す縦断面図である。このように、複数の突出部を硬度の異なる材料を複合して形成することにより、上記した横方向への弾性膨出の程度を調整することが可能となり、求められる防音性とクッション性に応じた防音床構造を提供することが可能となる。
【００２７】
上記した形態は、弾性体１の床躯体３側の面に相互に独立して設けられる突出部を、複数個の柱状体１１から形成した例を述べたが、柱状体１１に限定されず突条体としてもよい。図５は、本願発明に係る他の実施形態の防音床構造Ｂを示す部分断面斜視図であり、弾性体１の床躯体３側の面に凹溝Ｍを多数列設した突条体１２が設けられている。
【００２８】
図５に示すように、多数の突条体１２がその下面を床躯体３に当接して設けられているため、階上での生活音や軽い衝撃音は、弾性体１および突条体１２と突条体１２との間に設けられた凹溝Ｍにより減衰し、階下に伝わることを防止できる。また、体重の重い大人が歩いたとき等は、図２に示すときと同様に突条体１２は、最初は横方向に弾性膨出変形して荷重を受ける。そして、更に荷重が加わり、横方向に弾性膨出する余地がなくなると上記隣接する突条体１２が互いに接触し、ついには突条体１２が全体として弾性的に圧縮される。したがって、過度な沈み込みがなく、合成ゴムが弾性圧縮変形することにより、ふわふわした感じのない良好な歩行感を得ることができる。
【００２９】
なお、上記凹溝Ｍは縦方向に列設されているが、横方向にも列設して碁盤目状に凹溝Ｍを設けてもよい。また、柱状体１１および突条体１２の床躯体３との当接面に凸部または突起部を設けて防音性能を向上させてもよい。このように本願発明は設計変更自在であり、特許請求の範囲を逸脱しない限り本願発明の技術的範囲に属する。
【図面の簡単な説明】
【００３０】
【図１】本願発明に係る防音床構造の構成を示す縦断面図。
【図２】本願発明に係る防音床構造の床基材に下向きの荷重がかかったときの内部構成を示す縦断面図。
【図３】本願発明に係る防音床構造の床基材に下向きに更に大きな荷重がかかったときの内部構成を示す縦断面図。
【図４】本願発明に係る防音床構造の突出部を硬度の異なる材料を複合して形成した形態を示す横断面図。
【図５】本願発明に係る他の実施形態の防音床構造を示す部分断面斜視図。
【符号の説明】
【００３１】
Ａ      本願発明に係る防音床構造
Ｂ      本願発明に係る他の実施形態の防音床構造
Ｓ      隙間
Ｍ      凹溝
１      弾性体
１１    柱状体
１１１  膨出部
１２    突条体
２      床基材
３      床躯体
４      カバー材
【図１】
2009281036.tif 000003
【図２】
2009281036.tif 000004
【図３】
2009281036.tif 000005
【図４】
2009281036.tif 000006
【図５】
2009281036.tif 000007